(57)【要約】【課題】実際の使用長さと形状に一体成形したネクタイで、そのネクタイ上端に係合体となるフックを備えたネクタイと、そのネクタイを掛け止めする被係合体を持ち、前記ネクタイ長さ又は二重または三重に折り重ねた縦長さ間を収納遮蔽する上着を得る。【解決手段】上着本体１０ａ内側の胸ポケット１１ａ上方には、上端が円弧状取り付け線１９形状で取り付けられ、胸ポケット内に下方の一部が挿入される一定の高さと幅を有する遮蔽幕１８が上着に固着し、その幕の内側最上端部には、掛け止め具となる被係合体１６ａを備えた被係合体支持体１７ａが取り付けられている。そして、遮蔽幕を円弧状取り付け線側となる襟側４１方向に開き、二重に折り重ねたネクタイ６０の下方部を胸ポケット内に収納し、係合体となるネクタイ上端のフック６１を被係合体１６ａに掛け止めて直立状態にし、それを遮蔽する収納構成にしている。【選択図】    図１
2008088604.tif 000002
【特許請求の範囲】
【請求項１】
ワイシャツなどの襟元に取り付けるネクタイで、そのネクタイを一定の外形形状と一定の着用縦長さに固定成形し、該ネクタイ上端には衣類の一端に着脱自在に係止するための係合体となる逆Ｕ字状のフックが設けられ、そのネクタイ長さ又はネクタイ長さを二重又は三重に折り重ねた縦長さ状態（図１、図７参照）と、背広などの上着内側の乳房付近となる上着襟側と袖付け根との間に、上方開放の胸ポケットが設けられている状態において、前記ネクタイの下方部を胸ポケットに収納した状態でネクタイが直立状態となる胸ポケット上方の高さ位置に被係合体を設けたことを特徴とするネクタイ収納付き上着。（図１〜図４参照）
【請求項２】
前記被係合体を覆う取り付け上端から下方の、胸ポケット上端より低い縦長さと、胸ポケットの横幅より小さい横幅からなる幕で、その幕の下方側を開閉自在にした遮蔽幕を胸ポケット上方に設けたことを特徴とする請求項１記載のネクタイ収納付き上着。（図１〜図４参照）
【請求項３】
前記遮蔽幕上端横幅の外形と同一成りとなる取り付け形状は、袖付け根側の高い位置から斜め傾斜に立下る形状で、左右の被取り付け部を直立形状にしたことを特徴とする請求項２記載のネクタイ収納付き上着。（図１〜図４参照）
【請求項４】
ワイシャツなどの襟元に取り付けるネクタイで、そのネクタイを一定の外形形状と一定の着用縦長さに成形し、該ネクタイ上端には衣服の一端に着脱自在に係止するための係合体となる逆Ｕ字状のフックが設けられ、そのネクタイ長さ又はネクタイ長さを二重又は三重に折り重ねた縦長さ状態（図１、図７参照）において、背広などの上着内側の乳房付近となる襟側と袖付け根との間の任意の高さ位置には、一定の間口幅のスリット開口が裏地内（表地と裏地の間）に連通して設けられ、そのスリット開口の上方には固着して前記係合体を係止する被係合体が設けられたことを特徴とするネクタイ収納付き上着。（図１０、図１１参照）
【請求項５】
前記スリット開口の形状は、一定の横幅と、その横幅両端のどちらか一方に連設して、一定の長さで斜め傾斜に低くなる雁垂又は逆く向き雁垂形状で、そのスリット開口の曲り部の直近下方の鈍角内には、裏地の一部を開閉自在に接続する接続部が形成される構成になったことを特徴とする請求項４記載のネクタイ収納付き上着。（図５〜図７参照）
【請求項６】
前記スリット開口の形状は、一定の横幅と縦方向に立下る鍵形形状で、そのスリット開口の曲り部の直近下方の直角内には、裏地の一部を開閉自在に接続する接続部が形成される構成になったことを特徴とする請求項４記載のネクタイ収納付き上着。（図８、図９参照）
【請求項７】
前記スリット開口の上方に設けられる被係合体は、開口部の裏地内に納置状態に固着して設けられたことを特徴とする請求項４記載のネクタイ収納付き上着。（図５、図８参照）
【請求項８】
ワイシャツなどの襟元に取り付けるネクタイで、そのネクタイを一定の外形形状と一定の着用縦長さに形成し、該ネクタイ上端には衣服の一端に着脱自在に係止するための係合体となる逆Ｕ字状のフックが設けられ、そのネクタイ長さ又はネクタイ長さを縦方向に二重又は三重に折り重ねた縦長さ状態と、ワイシャツなどの上着表側の乳房付近となる上着中央と袖付け根との間の任意の高さに設けられている上方開放の胸ポケットにおいて、その胸ポケット入口部には、上着本体に固着して前記係合体が係止される被係合体が設けられ、同胸ポケット内の任意の高さ位置には、上着裏側に貫通する横長スリット状の挿通開口が設けられたことを特徴とするネクタイ収納付き上着。（図１２〜図１４参照）
【請求項９】
前記胸ポケット内に設けられた挿通開口は胸ポケットの内側横幅と略同一幅を有し、その挿通開口を覆い上方に一定の高さ立上り、前記挿通開口に連通する入口を形成する上方開放の入口壁が上着本体に固着して設けられ、その入口壁の内側下端高さは、挿通開口の下端高さと略同一高さに設けられたことを特徴とする請求項８記載のネクタイ収納付き上着。（図１２〜図１４参照）
【請求項１０】
上着裏側には、前記挿通開口を覆う上端高さから下方に一定の立下り高さとなる下方開放の開口遮蔽幕が固着して設けられたことを特徴とする請求８記載のネクタイ収納付き上着。（図１２〜図１４参照）
【請求項１１】
ネクタイを収納するポケットが胸ポケット内側に設けられた上着であって、ポケット入口部が上着外側で二重に重なる一方の外側の胸ポケットと、その胸ポケット内側に設けられる前記入口壁から成る内側ポケット上部で、その内側ポケット上部の内側下端部に設けられいる前記挿通開口に連通するポケットの下方部が上着の裏側に設けられた構成の２層ポケット構造になったことを特徴とする請求項８又は９記載のネクタイ収納付き上着。（図１５、図１６参照）
【請求項１２】
前記上着裏側に設けられたポケットの下方部には、そのポケット横幅の左右の縦横端の内、上着中央側の横端の一定の高さ間に、ポケット内に連通する開口が設けられたことを特徴とする請求項１１記載のネクタイ収納付き上着。（図１５〜図１７参照）
【請求項１３】
前記胸ポケット内に設けられる入口壁の上端高さは、胸ポケットの入口上端高さと同一か胸ポケットと入口壁のどちらかを低くしたことを特徴とする請求項９記載のネクタイ収納付き上着。（図１２、図１４、図１５、図１６参照）
【請求項１４】
前記被係合体は、胸ポケット入口を覆うポケット蓋内側の上端に固着して設けられたことを特徴とする請求項８記載のネクタイ収納上着。（図１５、図１６参照）
【請求項１５】
前記被係合体は、胸ポケット横幅中央より袖付け根寄りに設けられたことを特徴とする請求項８記載のネクタイ収納付き上着。（図１２、図１５参照）
【発明の詳細な説明】
【技術分野】
【０００１】
本発明は、背広やワイシャツなどの上着の乳房から脇腹（鳩尾）附近となる高さ位置に、ネクタイを吊り下げそれを遮蔽状態に収納することを可能とする上着に関するものである。
【背景技術】
【０００２】
不使用時のネクタイを一時的に身近かに収納する場合、鞄などの一定の大きさの入れ物が必要となる問題点があった。
【０００３】
また、入れ物の無い場合においては、ネクタイを折りたたむか丸めてポケットに収納する場合、元来ポケットは小物のメガネや手帳などの収納とそれの取り出しが容易な横幅と深さであるため、無理にネクタイを収納すると嵩張ると共にしわが寄り易い欠点があった。
【０００４】
また、背広などの上着の外側又は内側から出し入れする胸ポケットが、小物の収納物が出し入れしやすい深さで裏地内（表地と裏地の間）に設けられ、そのポケット入口には、ポケットからの飛び出しを防ぐため、図１９で示すボタン穴４９が設けられたボタン掛け３２又は図２０で示す、Ｕ字状のボタン掛け３３が設けられものがあるが、これを胸ポケット１１ｂ内に入れ込み、ネクタイのフックを掛ける被係合体として代用しようとすると、胸ポケットの深さはネクタイを直立状態に収納するには不十分な深さである。
【０００５】
また、ポケットが一定の深い深さを有するものであった場合、ボタン掛けは胸ポケットの中央にあるため、本案の胸部のくぼみの大きい鳩尾附近に収納する困難さと、ネクタイがポケット内の中央部を使う為他の物の収納ができにくくなる問題点がある。
【０００６】
また、特にシャツなどの上着の表側に設けられる従来の胸ポケットを一定の深い形状にすると収納物の取り出しが困難となると同時に見栄えを損なう問題点がある。
【０００７】
この改善策として、最も身近な背広やワイシャツなどの上着で、体形の中でくぼみの大きい乳房下方の脇腹（鳩尾）附近となる上着の内側又は外側に、ネクタイを吊り下げ収納することを可能としようとするもので、上着内側に胸ポケットが設けられている場合において、従来のポケットにネクタイを収納容易とするために、ポケット入口上方の一定の高さ位置に、図１、図３、図４で示す係合体となるフック６１を具備するネクタイ６０を二重又は三重折りにネクタイを短い状態にし、上方からのフックの挿入を容易にする中央部にふくらみを持せた帯状の被係合体１６ａと、その被係合体を取りつけた被係合体支持体１７ａを設けている。
【０００８】
そして、前記被係合体１６ａを上方から覆う取り付けで胸ポケット１１ａの横幅より狭い横幅と、前記被係合体支持体１７ａ上端の任意の高さ位置から、下方のポケット内に重ね代２８の長さで下方部が挿入される縦長さで垂れ下る形状で、胸ポケット上方の一定の広さを覆う大きさの遮蔽幕１８を設け、その一定の広さの遮蔽幕上部の上着本体への取り付け（縫製）形状は、図３で示す遮蔽幕の上辺の内、袖付け根４３側の上端コーナーのａ点の高い位置と、襟側４１の直立辺部の内、ポケット入口上端よりやや高いｂ点の位置において、被係合体１６ａから一定の取り付け間隔２０を有する円弧状取り付け線１９形状で、ａ点とｂ点を結んで取り付けている。
【０００９】
そして、図３の想像線で示す様にａ点とｂ点を支点に折れ曲り、操作視線方向５０と同方向の襟側４１方向に遮蔽幕１８が開かれ被係合体１６ａを十分露出させて、図１で示すネクタイの掛け止め収納をしている。
【００１０】
また、図５、図６で示す様に、上着内側の襟側４１と袖付け根４３間の高い位置に、一定の横幅と左右の内どちらか一方に、一定の長さで斜め傾斜に広がる立下り形状で、裏地内４７に連通するスリット開口２１ａを設け、その開口の上端の裏地内には、紐状Ｕ字形状からなる被係合体１６ｂが固着して設けられている。そして、上部の開口コーナー部の下方には、マジックテープ（登録商標）又はボタン止めなどで開口の一部を塞ぐ接続部２６が形成されている。
【００１１】
図７では、図５、図６で示す構成のスリット開口２１ａの接続部２６を開放し，想像線で示す様にスリット開口２１ａの下方側の裏地４６の一部を変形三角形状に開くと、被係合体１６ｂの露出と開放幅２５ａの広い収納口が形成され、その収納口からネクタイを挿入し、ネクタイ上端のフック６１を被係合体１６ｂに掛け止めし、裏地の開いた部分を閉じて接続部２６で接続保持すると、広い裏地内の主に乳房から脇腹近くとなる鳩尾辺りに、ネクタイを直立状態に納置される。
【００１２】
図８、図９で示す実施例では、図５〜図７で示す変形例を示し、鍵形状のスリット開口２１ｂと、その開口下方に直立するスリット開口２１ｃを設け、広い裏地内４７に直立状態にネクタイ６０を吊り下げ収納しようとすると、ネクタイ下方部の挿入が容易にできにくい場合には、下方のスリット開口２１ｃより手先を挿入し、ネクタイ下方部の挿入を助けることに用いる。
【００１３】
図１０、図１１では、上着内側の襟側４１と袖付け根４３の間に、袖付け根側の高い位置から斜め傾斜に低くなる一定の間口幅を有し、裏地内４７に連通するスリット開口２１ｄと、その開口上方の袖付け根寄りには、Ｕ字状の被係合体１６ｂを設けた被係合体支持体１７ｂが裏地４６に固着して設けられ、広い裏地内にネクタイを収納可能としている。
【００１４】
図１２と、図１３、図１４の断面図で示すネクタイ収納方法では、主にワイシャツやポロシャツなどの上着に設けられている収納物の出し入れが容易な深さの胸ポケット１２ａで、そのポケット内の表地４４の一定の高さ位置には、胸ポケットの略内幅間に渡って、上着裏側４５に貫通するスリット状になったネクタイを挿入する挿通開口２２が設けられ、その開口上方の袖付け根４３寄りのポケット入口附近には、ネクタイを掛け止めする被係合体１６ａが取り付けられている。そして、胸ポケット内には、前記挿通開口を覆い上方の胸ポケット上端高さ近くに立上る入口壁１４を設けると、ネクタイ収納時にネクタイを挿通開口に案内しやすいものとなっている。更に図１４で示す様に上着裏側４５には、挿通開口を覆って下方に一定の立下り高さの開口遮蔽幕１５を設けている。
【００１５】
図１５と、図１６、図１７の断面図で示すネクタイ収納方法では、前記図１２〜図１４で示す実施例の変形例を示し、胸ポケット１２ｂの上方にはポケット蓋３０が設けられており、そのポケット蓋の内側上端の袖付け根４３寄りには、ネクタイを掛け止めするＵ字状の被係合体１６ｂが固着し、上着裏側４５には挿通開口２２に連通する下方側の内ポケット１３が設けられ、その下方側の内ポケットの両横端の内、少なくとも上着の中央側５３の横端には一定の高さ開口する開口間口２４が形成され、ボタン４８を１〜２個外し矢印方向５１に手先を挿入し、ネクタイの下方部の納まり具合を操作する構成にしている。そして、図１８で示す胸ポケット１２ｂに携帯電話機等５２を収納し、ネクタイ６０に設けられているフック６１を被係合体１６ｂに掛け止めし、ネクタイ下方を内ポケット１３内に収納する方法である。
【特許文献１】特願２００６―２１７６１４
【発明の開示】
【発明が解決しようとする課題】
【００１６】
解決しようとする問題点は、ネクタイにしわが寄りにくく嵩張らない方法で身近に収納する場所を確保しにくい点である。
【課題を解決するための手段】
【００１７】
本発明は、最も身近をとなる着用中の上着の内、邪魔になりにくい脇腹（鳩尾）辺りに嵩張らず見栄えを損うことなく又しわが寄りにくく着脱が容易な方法で収納を可能とすることを最も主要な特徴とする。
【発明の効果】
【００１８】
本発明のネクタイ収納付き上着の内、図１で示す上着内側の胸ポケット上部を遮蔽する幕は、襟側から袖付け根に向って高くなる斜め傾斜に取り付け、操作側の反対方向に幕を開け易くすると、ネクタイの掛け止め操作部の視野が得られやすく、また、遮蔽幕の取り付け形状を円弧状にすると、被係合体と幕取り付け形状との間に一定の大きな間隔が得られ易く、掛け止めの操作を容易にする空間が設けられる利点がある。そして、遮蔽幕の下方の一部はポケット内に挿入されるため、同幕による遮蔽の安定を高め、上着着用時の他からの視線側となる襟側の取り付け密閉度が大きいため、収納時のネクタイの遮蔽度が高くなり、外からの視線による見栄えを損うことを防いでいる。
【００１９】
また、図５〜図７で示す上着内側の高い位置に、裏地内に連通する横方向と斜め外側に立下る逆く向きの雁垂形状又は雁垂形状のスリット開口と、その開口状態を開閉自在に保持すマジックテープ（登録商標）などからなる接続部を設けた構成にすると、開口下方側の裏地の一部を斜め下方に開くと、変形三角形状の大きな裏地内へ通じる開放部が得られ、開口上端の被係合体１６ｂが確認容易となり、ネクタイの出し入れ操作が簡単なものとなる。そして、裏地内の大きな空間を利用するのでネクタイを折り曲げずに安価にネクタイ収納場所が得られる。更に本案では、被係合体を裏地内に納置しているので、見栄をほとんど損うことのない大きな利点を有している。
【００２０】
また、図８で示すネクタイ収納方法では、図７で示す収納例の変形例で、鍵形状のスリット開口の直立部を長く設けると、その開口の低い位置から裏地内に手先を挿入することが可能となり、ネクタイ下方部の納まり具合の調整がやりやすいものとなる、そして、直立開口部を複数に分離すると縦開口部の型くずれ（開き）を防止する効果を得る。
【００２１】
また、図１０で示す裏地に一定の間口幅のスリット開口と、被係合体を裏地外側に設けたものでは、ネクタイ上部が露出する欠点があるが、裏地の開口を小さくするコンパクトな構造でネクタイを裏地内に収納することを可能にしている。
【００２２】
また、図１２〜図１４で示すネクタイ収納形状例では、主にワイシャツに設けられている胸ポケットに隠してネクタイ収納構造が形成されると新たな収納場所を得ることなく、従来のシャツの外観を損うことがほとんどない大きな利点がある。また、胸ポケット内側に設けられる本案の入口を形成する入口壁は、胸ポケット使用時とネクタイの出し入れ時の両入口の選択を容易にする効果と、上着裏側にネクタイを挿入する案内を容易にする役目を果している。そして、上着裏側に設けられる開口遮蔽幕は、挿通開口を隠すデザイン上の見栄えの向上と、ネクタイが下着などに直接触れるのを防ぎ、上着裏側へのネクタイの挿入を助けるとともにネクタイ横振れを防いでネクタイの納置の安定を図っている。また、入口の袖付け根側に設けられる帯状の被係合体は中央部にふくらみを持たせた挿入口を設けてネクタイが掛け止めしやすいものとするとともに、体形の中でくぼみの大きい鳩尾辺りにネクタイを収納する利点を有している。
【００２３】
また、図１５〜図１７で示すネクタイ収納形状例では、図１２〜図１４で示す例の変形例で、挿通開口に連通して上着裏側に内ポケットが設けられると、収納したネクタイの姿勢の安定を高め、更にポケット生地をすべりの良い生地にすると、ネクタイの挿入が容易となる効果を得る。また、図１５、図１７で示すごとく内ポケットの横端に一部開口が設けられると、その開口より手先をポケット内に容易に挿入可能となり、ネクタイの下方部の納まり具合を正す操作がやり易いものとなる。
【００２４】
そして、胸ポケット上方に設けられるポケット蓋の内側に隠して被係合体を設けると見栄を損うことがない。そして、被係合体をポケットの中央より袖付け根側にすると、体形の中でくぼみの大きい鳩尾辺りに嵩張りを抑えたネクタイの収納場所を得ることとなる。
【発明を実施するための最良の形態】
【００２５】
背広やワイシャツなどの上着の着用時で、ネクタイの収納状態が最も分り難く（見栄えを損い難く）かつ邪魔になり難い鳩尾辺りに最も身近かな収納場所を実現した。
【実施例１】
【００２６】
図１は、本発明の一実施の使用例の斜視図であって、上着本体１０ａの襟側４１を開き、内側に設けられている胸ポケット１１ａの上方に、円弧状取り付け線１９形状に縫製取り付けされた、胸ポケット１１ａの横幅より小さい横幅の遮蔽幕１８を、襟側４１に開けると遮蔽幕１８の内側上端には、ネクタイ６０を掛け止めする被係合体１６ａを取り付けた被係合体支持体１７ａが固着して取り付けられている。そして、上端に係合体となるフック６１を備えたネクタイを２つに折り重ね、ネクタイピン６２で挟んで保持し、そのネクタイ下方部を胸ポケット内に収納し、前記帯状のバンドからなる被係合体１６ａにフック６１を挿入掛け止めし、胸ポケットから露出するネクタイ上部を遮蔽幕の下方の一部を胸ポケットに挿入する構成で覆っている。
【実施例２】
【００２７】
図２、図３、図４の内図２は、図１で示すネクタイ収納用の要部となる遮蔽幕１８と被係合体１６ａを備えた被係合体支持体１７ａを上着本体１０ａの内側の胸ポケット１１ａの上部に取り付けた上着の正面図である。
【００２８】
図３は、図２の本発明の要部を上着本体１０ａの内側から見た状態を示し図４は図３の断面を示している。上着本体１０ａ内側の胸ポケット１１ａの上方には、胸ポケット１１ａの横幅より小さい横幅と一定の高さを持った広さの遮蔽幕１８が設けられ、その遮蔽幕の上辺形状と同一となる取り付け形状は、横幅間のうち袖付け根４３側の最上端のａ点から胸ポケット１１ａ上端よりやや上方のｂ点間を縫製による円弧状取り付け線１９形状で取り付け、遮蔽幕の下端部は、胸ポケット１１ａ内に重ね代３０の挿入状態になる長さにしている。そして、遮蔽幕１８の内側上方には、下方に帯状のバンドからなる被係合体１６ａを備えた被係合体支持体１７ａが前記円弧状取り付け線１９に沿った上辺形状で取り付けられ、前記被係合体１６ａの位置は、胸ポケット上端より一定の高い位置で円弧状取り付け線１９との間に一定の大きさの取り付け間隔２０を持つ位置となっている。
【実施例３】
【００２９】
図５、図６、図７の内図５は、上着本体１０ａの内側に設けられるネクタイ収納用の要部構造を示す胸元を開いた立面図と、図６はその横断面図である。そして、図７は以下に述べる構成のネクタイ収納構造体にネクタイを収納した立面図である。上着本体１０ａ内側の袖付け根４３と襟側４１との間に一定の横長さと、その横長さの襟側４１の一端に連設して襟側に斜め傾斜で立下る一定の長さの２辺構成からなる。スリット開口２１ａを裏地内４７（表地と裏地の間）に連通して設け、その開口上端の裏地内４７には、紐状Ｕ字形状からなる被係合体１６ｂが、上着着用時で乳房上方のやや袖付け根４３寄りとなる位置に固着して取り付けられ、前記開口の２辺の交点部下方直近には、一部の裏地の開放を着脱自在に塞ぐマジックテープ（登録商標）などからなる接続部２６が設けられている。
【００３０】
図７は、接続部２６の接続を解除し、一部の裏地を開くとスリット開口の２辺とその２辺を結んだ開放幅２５ａからなる変形三角形状の開放部が生じ、その部位からネクタイを裏地内４７に挿入し、Ｕ字状の被係合体１６ａにフック６１を掛け止めして、上着着用時で鳩尾辺りとなるくぼみの大きい位置にネクタイを直立状態に納置し、裏地の一部を閉じて接続部２６の接続で保持している。
【実施例４】
【００３１】
図８は、図７の変形の実施例で、図９は図８の一部横断面図を示す。鍵形のスリット開口２１ｂと、その開口の下方に直立するスリット開口２１ｃが設けられ、スリット開口上端の裏地内４７に固着して被係合体１６ｂが取り付けられている。そして、開口の横と縦のコーナー部の直近の下方には、開閉自在になる接続部２６が設けられ、それを解除し裏地を開くと、鍵形開口辺とその開口辺の両端を結んだ開放幅２５ｂからなる変形三角形状の開放部が生じ、その開方部からネクタイ６０を挿入し、ネクタイに設けられているフック６１を被係合体１６ｂに掛け止めし、裏地内４７にネクタイを直立状態に納置している。
【実施例５】
【００３２】
図１０は、図５の変形の実施例を示し、図１１は図１０の一部縦断面を示す。上着内側の裏地４６には、袖付け根４３側から襟側４１に低くなる一定の間口幅の斜め傾斜のスリット開口２１ｄが裏地内４７に連通して設けられ、その開口上方の袖付け根寄りには、Ｕ字状の被係合体１６ｂを設けた一定の大きさの被係合体支持体１７ｂが固着して取り付けられている。
【実施例６】
【００３３】
図１２は、主にワイシャツの胸ポケット１２ａと重なる位置に本案を設けた実施例の正面図を示し、図１３は、図１２の一部横断面図を示し、図１４は一部縦断面を示す。胸ポケット１２ａ内の裏地４４の任意の高さ位置には、胸ポケット内側横幅間にネクタイを上着裏側４５に挿通させる挿通開口２２が設けられ、その開口下端から胸ポケット上端よりやや低い高さ位置間と胸ポケットの内幅間に本案の入口を形成する入口壁１４を設けいている。そして、入口壁上方の袖付け根４３寄りには、横長帯状で中央部をふくらませた挿入口２７を備えた被係合体１６ａが固着し、前記挿通開口２２の上着裏側の上端から胸ポケット下端高さと略同じ高さ間に挿通開口を覆う下方開放の開口遮蔽幕１５を固着して設けている。
【実施例７】
【００３４】
図１５、図１６、図１７は、図１２、図１３、図１４の変形例で、表地４４に設けられている挿通開口２２に連通して上着裏側４５には、胸ポケット１２ｂの下端より低くなる深さの内ポケット１３の下方部が設けられ、その内ポケットの上着の中央側５３の縦側端で、内ポケットの下端よりや上方の位置に、開口間口２４の大きさの開口が設けられ、上着のボタン４８を１個又は２個外し、矢印方向５１から開口間口に向って手先を挿入する構成にしている。そして、胸ポケット内に設けられている内ポケット上部となる入口壁１４の上端高さは、胸ポケット上端高さよりやや高く、胸ポケット１２ｂと内ポケット１３の入口部上方には、両入口を覆うポケット蓋３０とその蓋内側上端で入口中央部より袖付け根４３側には、紐状Ｕ字形状からなる被係合体１６ｂが設けられている。
【実施例８】
【００３５】
図１８は、図１５〜図１７で示す構成の胸ポケット１２ｂの一方の端側に携帯電話機等５２を収納し、もう一方の端側にネクタイに設けられているフック６１をポケット蓋３０の内側に設けられている被係合体１６ｂに掛け止めし、内ポケット１３の袖付け根４３側に納置している。
【実施例９】
【００３６】
図１９、図２０は、上着内側の裏地内に設けられる従来の胸ポケット１１ｂの実施例を示し、図１９は、ポケット口２９中央の開口上方にはボタン穴４９を備えたボタン掛け３２が設けられ、そのボタン掛けを開口下方に設けられているボタン４８に掛け止めしてポケット口を塞いでいる。また、図２０は、ポケット口２９の開口上方にＵ字状のボタン掛け３３を設け、それを開口下方のボタン４８に掛けて止めしてポケット口を塞いでいる。
【産業上の利用可能性】
【００３７】
２層式に従来のポケット後側に深いポケット又はポケット入口上方の一定の高さ間を遮蔽幕で覆うことにより、従来のポケットから露出する様な長四角の財布や一定の深い深さでも取り出し易いストラップつき携帯電話機など嵩張るものを脇腹近くのくぼみの大きいところに収納する用途にも適用できる。
【図面の簡単な説明】
【００３８】
【図１】本発明のネクタイ収納例を示す斜視図である。
【図２】上着の内側に設けたネクタイ収納用要部構造を示す正面図である。
【図３】図２の胸元を開き上着の内側からみた要部拡大図である。
【図４】図３のＸ１―Ｘ１線による矢視図である。
【図５】図３の変形例を示す図である。
【図６】図５のＸ２―Ｘ２線による矢視図である。
【図７】図５の構成にネクタイを収納した例を示す図である。
【図８】図５の変形例を示す図である。
【図９】図８のＸ３―Ｘ３線による矢視図である。
【図１０】図５の変形例を示す図である。
【図１１】図１０のＸ４―Ｘ４線による矢視図である。
【図１２】上着外側に設けた本発明のネクタイ収納用要部構造を示す正面図である。
【図１３】図１２のＸ５―Ｘ５線による矢視図である。
【図１４】図１２のＸ６―Ｘ６線による矢視図である。
【図１５】図１２の変形例を示す図である。
【図１６】図１５のＸ７―Ｘ７線による矢視図である。
【図１７】図１５のＸ８―Ｘ８線による矢視図である。
【図１８】図２層式のポケットに収納した実施例を示す正面図である。
【図１９】上着内側の従来の胸ポケットの実施例を示す図である。
【図２０】上着内側の従来の胸ポケットの実施例を示す図である。
【符号の説明】
【００３９】
１０ａ：上着本体
１０ｂ：上着本体
１１ａ：胸ポケット
１１ｂ：胸ポケット
１２ａ：胸ポケット
１２ｂ：胸ポケット
１３  ：内ポケット
１４  ：入口壁
１５  ：開口遮蔽幕
１６ａ：被係合体
１６ｂ：被係合体
１７ａ：被係合体支持体
１７ｂ：被係合体支持体
１８  ：遮蔽幕
１９  ：円弧状取り付け線
２０  ：取り付け間隔
２１ａ：スリット開口
２１ｂ：スリット開口
２１ｃ：スリット開口
２１ｄ：スリット開口
２２  ：挿通開口
２４  ：開口間口
２５ａ：開放幅
２５ｂ：開放幅
２６  ：接続部
２７  ：挿入口
２８  ：重ね代
２９  ：ポケット口
３０  ：ポケット蓋
３２  ：ボタン掛け
３３  ：ボタン掛け
４０  ：襟
４１  ：襟側
４２ａ：袖
４２ｂ：袖
４３  ：袖付け根
４４  ：表地
４５  ：上着裏側
４６  ：裏地
４７  ：裏地内
４８  ：ボタン
４９  ：ボタン穴
５０  ：操作視線方向
５１  ：矢印方向
５２  ：携帯電話機等
５３  ：中央側
６０  ：ネクタイ
６１  ：フック
６２  ：ネクタイピン
【図１】
2008088604.tif 000003
【図２】
2008088604.tif 000004
【図３】
2008088604.tif 000005
【図４】
2008088604.tif 000006
【図５】
2008088604.tif 000007
【図６】
2008088604.tif 000008
【図７】
2008088604.tif 000009
【図８】
2008088604.tif 000010
【図９】
2008088604.tif 000011
【図１０】
2008088604.tif 000012
【図１１】
2008088604.tif 000013
【図１２】
2008088604.tif 000014
【図１３】
2008088604.tif 000015
【図１４】
2008088604.tif 000016
【図１５】
2008088604.tif 000017
【図１６】
2008088604.tif 000018
【図１７】
2008088604.tif 000019
【図１８】
2008088604.tif 000020
【図１９】
2008088604.tif 000021
【図２０】
2008088604.tif 000022